(57)【要約】【課題】  表示領域内における温度バラツキに対しても最適なオーバーシュート駆動を行うことができる液晶表示装置、その駆動装置、液晶表示装置の駆動方法を提供する。【解決手段】  複数の走査信号線と、映像信号が階調表示に適したデータ信号として供給される複数のデータ信号線と、走査信号線とデータ信号線との交点に対応してスイッチ部を介して接続された画素をマトリクス状に配置した表示パネル２とを有する。映像信号と該映像信号の少なくとも１フレーム前の映像信号とに基いてデータ信号を生成するデータ生成部Ａ〜Ｄを複数有し、各データ生成部Ａ〜Ｄはそれぞれ異なる出力レベルに基いてデータ信号を生成する。複数のデータ生成部Ａ〜Ｄを格納するデータ生成部格納部５４、走査信号線単位で、データ生成部格納部５４に格納された複数のデータ生成部Ａ〜Ｄから１つのデータ生成部Ａ〜Ｄを選択するデータ生成部切換用メモリ５３が設けられている。【選択図】  図１
2005215059.tif 000002
【特許請求の範囲】
【請求項１】
複数の走査信号線と、映像信号が階調表示に適したデータ信号として供給される複数のデータ信号線と、上記走査信号線とデータ信号線との交点に対応してスイッチ部を介して接続された画素をマトリクス状に配置した表示部とを有する液晶表示装置において、
上記データ信号を生成する複数のデータ生成部と、該複数のデータ生成部を格納するデータ生成部格納手段と、
上記走査信号線単位で、上記データ生成部格納手段に格納された複数のデータ生成部から１つのデータ生成部を選択するデータ生成部選択手段とが設けられていることを特徴とする液晶表示装置。
【請求項２】
複数の走査信号線と、映像信号が階調表示に適したデータ信号として供給される複数のデータ信号線と、上記走査信号線とデータ信号線との交点に対応してスイッチ部を介して接続された画素をマトリクス状に配置した表示部とを有する液晶表示装置において、
上記映像信号と該映像信号の少なくとも１フレーム前の映像信号とに基いてデータ信号を生成するデータ生成部を複数有し、かつ各データ生成部は映像信号と該映像信号の少なくとも１フレーム前の映像信号とのそれぞれ異なる出力レベルに基いてデータ信号を生成すると共に、さらに、
上記複数のデータ生成部を格納するデータ生成部格納手段と、
上記走査信号線単位で、上記データ生成部格納手段に格納された複数のデータ生成部から１つのデータ生成部を選択するデータ生成部選択手段とが設けられていることを特徴とする液晶表示装置。
【請求項３】
前記走査信号線間において、互いに異なるデータ生成部にて生成されたデータ信号が出力されることを特徴とする請求項１又は２記載の液晶表示装置。
【請求項４】
前記データ生成部には、入力データを加工せずに出力されるものが含まれていることを特徴とする請求項１、２又は３記載の液晶表示装置。
【請求項５】
前記データ生成部は、複数の走査信号線毎に切り換えられていることを特徴とする請求項１〜４のいずれか１項に記載の液晶表示装置。
【請求項６】
前記データ生成部は、前記表示部の表示動作中に変更可能となっていることを特徴とする請求項１〜５のいずれか１項に記載の液晶表示装置。
【請求項７】
前記データ生成部は、映像信号との出力レベル比較において装置本体の電源起動時から徐々に小さくなるように選択されることを特徴とする請求項２〜６のいずれか１項に記載の液晶表示装置。
【請求項８】
前記データ生成部は、前記装置本体の電源起動からの時間に応じて切り換えられることを特徴とする請求項２〜７のいずれか１項に記載の液晶表示装置。
【請求項９】
前記データ生成部選択手段は、前記走査信号線を示す個別番号と、その走査信号線を示す個別番号に対応する前記装置本体の電源起動からの時間に応じたデータ生成部の選択肢とを組み合わせたアドレスからなる記憶手段からなっていることを特徴とする請求項８記載の液晶表示装置。
【請求項１０】
前記データ生成部は、前記表示部の温度により切り換えられることを特徴とする請求項２〜７のいずれか１項に記載の液晶表示装置。
【請求項１１】
前記データ生成部は、温度センサによって得られた温度情報に基づいて切り換えられることを特徴とする請求項１０記載の液晶表示装置。
【請求項１２】
前記データ生成部選択手段は、周囲温度に対応する前記データ生成部をルックアップテーブルにして格納していることを特徴とする請求項１０又は１１記載の液晶表示装置。
【請求項１３】
前記温度センサは、前記表示部の薄膜トランジスタ基板上に設けられていることを特徴とする請求項１１又は１２記載の液晶表示装置。
【請求項１４】
前記温度センサは、前記表示部における表示領域の列方向に沿って複数個配設されていることを特徴とする請求項１３記載の液晶表示装置。
【請求項１５】
前記温度センサにおける温度検出信号の伝送は、前記表示部に配設されている予備データ配線を用いて行われていることを特徴とする請求項１３又は１４記載の液晶表示装置。
【請求項１６】
前記データ生成部選択手段は、表示部の複数の温度に対応する前記データ生成部をルックアップテーブルにして格納していることを特徴とする請求項１４又は１５記載の液晶表示装置。
【請求項１７】
前記請求項１〜１６のいずれか１項に記載の液晶表示装置を駆動することを特徴とする駆動装置。
【請求項１８】
複数の走査信号線と、映像信号が階調表示に適したデータ信号として供給される複数のデータ信号線と、上記走査信号線とデータ信号線との交点に対応してスイッチ部を介して接続された画素をマトリクス状に配置した表示部とを有する液晶表示装置の駆動方法において、
上記データ信号を生成する複数のデータ生成部を用意し、
上記走査信号線単位で、上記複数のデータ生成部から１つのデータ生成部を切り換え選択したデータ信号を画素に印加することを特徴とする液晶表示装置の駆動方法。
【請求項１９】
複数の走査信号線と、映像信号が階調表示に適したデータ信号として供給される複数のデータ信号線と、上記走査信号線とデータ信号線との交点に対応してスイッチ部を介して接続された画素をマトリクス状に配置した表示部とを有する液晶表示装置の駆動方法において、
上記映像信号と該映像信号の少なくとも１フレーム前の映像信号とを基にデータ信号を生成するためのデータ生成部を複数用意し、かつ各データ生成部は映像信号と該映像信号の少なくとも１フレーム前の映像信号とのそれぞれ異なる出力レベルに基いてデータ信号を生成すると共に、
上記走査信号線単位で、上記複数のデータ生成部から１つのデータ生成部を切り換え選択したデータ信号を画素に印加することを特徴とする液晶表示装置の駆動方法。
【請求項２０】
前記映像信号とデータ生成部により生成されるデータ信号との出力レベルの差は、液晶表示装置が設置された状態における垂直方向の表示部の上側領域及び中央領域に比べて下側領域が最大となることを特徴とする請求項１９記載の液晶表示装置の駆動方法。
【発明の詳細な説明】
【技術分野】
【０００１】
本発明は、温度依存性の大きい表示素子を用いたマトリクス型の表示部を採用してなる液晶表示装置及びその駆動装置、並びに液晶表示装置の駆動方法に関するものである。
【背景技術】
【０００２】
液晶表示装置は、その特徴である「画面フリッカーがない」、「薄型にできる」、及び「省電力性を有する」等の理由により、これまで主流であったＣＲＴ（Cathode-Ray Tube)にとって代わり、テレビ等への応用商品として注目されている。
【０００３】
しかしながら、短所として、液晶自身の応答速度が遅いために、動画表示時に表示画面が尾を引いたように見えてしまう問題がある。このため、液晶自身の応答速度を得るべく、表示したい階調データよりもやや大きい値の信号を液晶画素に印加し、その液晶の応答速度を補うという技術があり、例えば特許文献１に開示されている。なお、この技術は、一般に、オーバーシュート駆動と呼ばれている。また、液晶パネルの温度を検出し、その温度に応じた強調信号をデータ信号とするという技術が特許文献２に開示されている。
【特許文献１】特公昭６３−２５５５６号公報（１９８８年５月２５日公告）
【特許文献２】特開平４−３１８５１６号公報（１９９２年１１月１０日公告）
【発明の開示】
【発明が解決しようとする課題】
【０００４】
しかしながら、液晶の応答速度は液晶自身の温度に大きく依存し、特に低温時においては、その応答速度が大きく損なわれる。さらに、オーバーシュート駆動は、必要以上に行うと必要以上に応答するため、表示画像が不自然な見え方をしてしまう。このため、温度によりオーバーシュート駆動の出力レベルを切り換えることが必須となっている。
【０００５】
この結果、液晶表示装置では、複数の温度に対する階調補正データを準備しなければならない。それに加えて、近年の液晶表示装置の大型化に伴い液晶表示装置の表示領域内における液晶自身の温度のバラツキがさらに問題となってきている。これまで、液晶表示装置のオーバーシュート駆動は周囲温度により画一的に切り換えてきているのが現状であり、特に、表示領域内の温度バラツキに対する補正が行われることはなかった。
【０００６】
また、オーバーシュート駆動とは関係なく、走査信号線毎に駆動できるのが好ましい。
【０００７】
本発明は、上記従来の問題点に鑑みなされたものであって、その目的は、走査信号線毎に駆動することができ、液晶表示装置の表示領域内における温度バラツキに対しても最適なオーバーシュート駆動を行うことができる液晶表示装置及びその駆動装置、並びに液晶表示装置の駆動方法を提供するものである。
【課題を解決するための手段】
【０００８】
本発明の液晶表示装置は、上記課題を解決するために、複数の走査信号線と、映像信号が階調表示に適したデータ信号として供給される複数のデータ信号線と、上記走査信号線とデータ信号線との交点に対応してスイッチ部を介して接続された画素をマトリクス状に配置した表示部とを有する液晶表示装置において、上記データ信号を生成する複数のデータ生成部と、該複数のデータ生成部を格納するデータ生成部格納手段と、上記走査信号線単位で、上記データ生成部格納手段に格納された複数のデータ生成部から１つのデータ生成部を選択するデータ生成部選択手段とが設けられていることを特徴としている。
【０００９】
また、本発明の液晶表示装置の駆動方法は、上記課題を解決するために、複数の走査信号線と、映像信号が階調表示に適したデータ信号として供給される複数のデータ信号線と、上記走査信号線とデータ信号線との交点に対応してスイッチ部を介して接続された画素をマトリクス状に配置した表示部とを有する液晶表示装置の駆動方法において、上記データ信号を生成する複数のデータ生成部を用意し、上記走査信号線単位で、上記複数のデータ生成部から１つのデータ生成部を切り換え選択したデータ信号を画素に印加することを特徴としている。
【００１０】
上記の発明によれば、複数のデータ生成部を用意し、上記走査信号線単位で、上記複数のデータ生成部から１つのデータ生成部を切り換え選択したデータ信号を画素に印加する。したがって、本発明では、駆動のためのデータ生成部を走査信号線毎に切り替えることができる。
【００１１】
例えば、ある表示画面領域のうち、上下部分のみを黒で表示する場合を考えると、従来では、そのような映像信号をデータ信号として生成して入力する。しかし、本発明では、そのような表示を行なうためには、１つのデータ生成部の出力を固定（黒レベル）にすることによって達成することができる。
【００１２】
本発明の液晶表示装置は、上記課題を解決するために、複数の走査信号線と、映像信号が階調表示に適したデータ信号として供給される複数のデータ信号線と、上記走査信号線とデータ信号線との交点に対応してスイッチ部を介して接続された画素をマトリクス状に配置した表示部とを有する液晶表示装置において、上記映像信号と該映像信号の少なくとも１フレーム前の映像信号とに基いてデータ信号を生成するデータ生成部を複数有し、かつ各データ生成部は映像信号と該映像信号の少なくとも１フレーム前の映像信号とのそれぞれ異なる出力レベルに基いてデータ信号を生成すると共に、さらに、上記複数のデータ生成部を格納するデータ生成部格納手段と、上記走査信号線単位で、上記データ生成部格納手段に格納された複数のデータ生成部から１つのデータ生成部を選択するデータ生成部選択手段とが設けられていることを特徴としている。
【００１３】
また、本発明の液晶表示装置の駆動方法は、上記課題を解決するために、複数の走査信号線と、映像信号が階調表示に適したデータ信号として供給される複数のデータ信号線と、上記走査信号線とデータ信号線との交点に対応してスイッチ部を介して接続された画素をマトリクス状に配置した表示部とを有する液晶表示装置の駆動方法において、上記映像信号と該映像信号の少なくとも１フレーム前の映像信号とを基にデータ信号を生成するためのデータ生成部を複数用意し、かつ各データ生成部は映像信号と該映像信号の少なくとも１フレーム前の映像信号とのそれぞれ異なる出力レベルに基いてデータ信号を生成すると共に、上記走査信号線単位で、上記複数のデータ生成部から１つのデータ生成部を切り換え選択したデータ信号を画素に印加することを特徴としている。
【００１４】
上記の発明によれば、映像信号と該映像信号の少なくとも１フレーム前の映像信号とを基にデータ信号を生成するためのデータ生成部を複数用意する。ここで、各データ生成部は映像信号と該映像信号の少なくとも１フレーム前の映像信号とのそれぞれ異なる出力レベルに基いてデータ信号を生成する。このデータ生成部が、複数、データ生成部格納手段に用意される。そして、データ生成部選択手段によって、上記走査信号線単位で、上記データ生成部格納手段に格納された複数のデータ生成部から１つのデータ生成部を選択する。
【００１５】
したがって、従来の液晶表示装置で行っていたオーバーシュート駆動よりも走査信号線単位でのオーバーシュート駆動の最適化が図れるので、より液晶の特性に応じた応答速度補正が可能となる。
【００１６】
その結果、液晶表示装置の表示領域内における温度バラツキに対しても最適なオーバーシュート駆動を行うことができる液晶表示装置、及び液晶表示装置の駆動方法を提供することができる。
【００１７】
また、本発明の液晶表示装置は、上記記載の液晶表示装置において、前記走査信号線間において、互いに異なるデータ生成部にて生成されたデータ信号が出力されることを特徴としている。
【００１８】
上記の発明によれば、走査信号線間において、互いに異なるデータ生成部にて生成されたデータ信号が出力されるので、走査信号線間でデータ生成部を切り換え可能となっている。
【００１９】
また、本発明の液晶表示装置は、上記記載の液晶表示装置において、前記データ生成部には、入力データを加工せずに出力されるものが含まれていることを特徴としている。
【００２０】
上記の発明によれば、データ生成部には、入力データを加工せずに出力されるものが含まれているので、オーバーシュート駆動のデータ信号を出力することが可能となる。
【００２１】
また、本発明の液晶表示装置は、上記記載の液晶表示装置において、前記データ生成部は、複数の走査信号線毎に切り換えられていることを特徴としている。
【００２２】
上記の発明によれば、データ生成部は、複数の走査信号線毎に切り換えられている。したがって、例えば、表示部の領域単位でデータ生成部を切り換えることができる。
【００２３】
また、本発明の液晶表示装置は、上記記載の液晶表示装置において、前記データ生成部は、前記表示部の表示動作中に変化することを特徴としている。
【００２４】
上記の発明によれば、データ生成部は、表示部の表示動作中に変更可能となっているので、例えば、表示領域の温度上昇に伴ってデータ生成部を変更することができる。したがって、温度変化によって変化する液晶の応答特性に対応した動作を補償することができる。
【００２５】
また、本発明の液晶表示装置は、上記記載の液晶表示装置において、前記データ生成部は、映像信号との出力レベル比較において装置本体の電源起動時から徐々に小さくなるように選択されることを特徴としている。
【００２６】
上記の発明によれば、データ生成部は、映像信号との出力レベル比較において装置本体の電源起動時から徐々に小さくなるように選択される。したがって、特に、低温時の温度変化によって変化し易い液晶の応答特性に対応した動作を補償することができる。
【００２７】
また、本発明の液晶表示装置は、上記記載の液晶表示装置において、前記データ生成部は、前記装置本体の電源起動からの時間に応じて切り換えられることを特徴としている。
【００２８】
すなわち、表示部の温度は、前記装置本体の電源起動からの時間に応じて上昇するので、オーバーシュート駆動のデータ生成部も温度上昇に伴い、つまり時間の経過に伴って、小さい値に切り換えるのが好ましい。
【００２９】
そこで、本発明によれば、データ生成部は、前記装置本体の電源起動からの時間に応じて切り換えられる。
【００３０】
この結果、特に、液晶の温度検出を必要としないので、構成を簡略化することできる。
【００３１】
また、本発明の液晶表示装置は、上記記載の液晶表示装置において、前記データ生成部選択手段は、前記走査信号線を示す個別番号と、その走査信号線を示す個別番号に対応する前記装置本体の電源起動からの時間に応じたデータ生成部の選択肢とを組み合わせたアドレスからなる記憶手段からなっていることを特徴としている。
【００３２】
上記の発明によれば、データ生成部選択手段は、前記走査信号線を示す個別番号と、その走査信号線を示す個別番号に対応する前記装置本体の電源起動からの時間に応じたデータ生成部の選択肢とを組み合わせたアドレスからなる記憶手段からなっている。
【００３３】
したがって、データ生成部選択手段を記憶手段にて好適に構成することができる。
【００３４】
また、本発明の液晶表示装置は、上記記載の液晶表示装置において、前記データ生成部は、前記表示部の温度により切り換えられることを特徴としている。
【００３５】
上記の発明によれば、データ生成部は、表示部の温度により切り換えられる。したがって、実際の液晶の温度検出により応答速度を補償するので、正確な応答速度補償を実現することができる。
【００３６】
また、本発明の液晶表示装置は、上記記載の液晶表示装置において、前記データ生成部は、温度センサによって得られた温度情報に基づいて切り換えられることを特徴としている。
【００３７】
上記の発明によれば、データ生成部は、温度センサによって得られた温度情報に基づいて切り換えられる。したがって、温度センサからの温度データに基づき、直接、液晶の応答速度補償を行うことができるので、より正確な応答速度補償を実現することができる。
【００３８】
また、本発明の液晶表示装置は、上記記載の液晶表示装置において、前記データ生成部選択手段は、周囲温度に対応する前記データ生成部をルックアップテーブルにして格納していることを特徴としている。
【００３９】
上記の発明によれば、データ生成部選択手段は、周囲温度に対応するデータ生成部をルックアップテーブルにして格納しているので、ルックアップテーブルにて種々の機種に対し、同一の装置設計にて対応可能であるので、コスト的に有利である。
【００４０】
また、本発明の液晶表示装置は、上記記載の液晶表示装置において、前記温度センサは、前記表示部の薄膜トランジスタ基板上に設けられていることを特徴としている。
【００４１】
上記の発明によれば、温度センサは、表示部の薄膜トランジスタ基板上に設けられている。
【００４２】
すなわち、温度センサを後付けすると温度センサが必ずしも正確な温度を測定できない場合があるが、上記の構成により、温度センサは薄膜トランジスタ基板上に作りこんであるため、温度測定を正確に行うことができる。
【００４３】
また、本発明の液晶表示装置は、上記記載の液晶表示装置において、前記温度センサは、前記表示部における表示領域の列方向に沿って複数個配設されていることを特徴としている。
【００４４】
上記の発明によれば、温度センサは、前記表示部における表示領域の列方向に沿って複数個配設されている。すなわち、液晶の表示画面における温度分布は液晶表示装置を立てて設置する場合において、垂直方向に温度分布が推移する。したがって、そのような使用状況に応じた温度センサの実装を行うことによって、効率的な温度データの抽出が可能となる。
【００４５】
また、本発明の液晶表示装置は、上記記載の液晶表示装置において、前記温度センサにおける温度検出信号の伝送は、前記表示部に配設されている予備データ配線を用いて行われていることを特徴としている。
【００４６】
上記の発明によれば、温度センサにおける温度検出信号の伝送は、前記表示部に配設されている予備データ配線を用いて行われている。したがって、温度センサの信号出力用に対して、液晶表示装置に一般的に設けられている予備データ配線を使用することによって、新たな配線を必要としないため、表示部の大きな設計変更を行うことなく実現できるので、コストメリットがある。
【００４７】
また、本発明の液晶表示装置は、上記記載の液晶表示装置において、前記データ生成部選択手段は、表示部の複数の温度に対応する前記データ生成部をルックアップテーブルにして格納していることを特徴としている。
【００４８】
上記の発明によれば、データ生成部選択手段は、表示部の複数の温度に対応する前記データ生成部をルックアップテーブルにして格納している。
【００４９】
したがって、複数の走査信号線に対する表示部の複数の温度に対して効率よくデータ生成部の切り換えが可能となる。
【００５０】
また、本発明の液晶表示装置の駆動装置は、上記課題を解決するために、前記記載の液晶表示装置を駆動することを特徴としている。
【００５１】
上記の発明によれば、従来の液晶表示装置で行っていたオーバーシュート駆動よりも走査信号線単位でのオーバーシュート駆動の最適化が図れるので、より液晶の特性に応じた応答速度補正が可能となる。
【００５２】
したがって、液晶表示装置の表示領域内における温度バラツキに対しても最適なオーバーシュート駆動を行うことができる液晶表示装置の駆動装置を提供することができる。
【００５３】
また、本発明の液晶表示装置の駆動方法は、上記記載の液晶表示装置の駆動方法において、前記映像信号とデータ生成部により生成されるデータ信号との出力レベルの差は、液晶表示装置が設置された状態における垂直方向の表示部の上側領域及び中央領域に比べて下側領域が最大となることを特徴としている。
【００５４】
上記の発明によれば、映像信号とデータ生成部により生成されるデータ信号との出力レベルの差は、液晶表示装置が設置された状態における垂直方向の表示部の上側領域及び中央領域に比べて下側領域が最大となる。
【００５５】
したがって、表示部の垂直方向の下側領域は、表示部の上側領域及び中央領域に比べて温度上昇が遅く、温度が低いので、映像信号とデータ生成部により生成されるデータ信号との出力レベルの差を下側領域が最大となるようにしておくことによって、下側領域においても、適切に表示することができる。
【発明の効果】
【００５６】
本発明では、複数のデータ生成部を用意し、上記走査信号線単位で、上記複数のデータ生成部から１つのデータ生成部を切り換え選択したデータ信号を画素に印加するので、駆動のためのデータ生成部を走査信号線毎に切り替えることができるという効果を奏する。
【００５７】
また、本発明では、映像信号と該映像信号の少なくとも１フレーム前の映像信号とに基いてデータ信号を生成するデータ生成部を複数有し、かつ各データ生成部は映像信号と該映像信号の少なくとも１フレーム前の映像信号とのそれぞれ異なる出力レベルに基いてデータ信号を生成すると共に、さらに、上記複数のデータ生成部を格納するデータ生成部格納手段と、上記走査信号線単位で、上記データ生成部格納手段に格納された複数のデータ生成部から１つのデータ生成部を選択するデータ生成部選択手段とが設けられている。
【００５８】
それゆえ、従来の液晶表示装置で行っていたオーバーシュート駆動よりも走査信号線単位でのオーバーシュート駆動の最適化が図れるので、より液晶の特性に応じた応答速度補正が可能となる。
【００５９】
その結果、液晶表示装置の表示領域内における温度バラツキに対しても最適なオーバーシュート駆動を行うことができる液晶表示装置、及び液晶表示装置の駆動方法を提供することができるという効果を奏する。
【発明を実施するための最良の形態】
【００６０】
〔実施の形態１〕
本発明の実施の一形態について図１ないし図３に基づいて説明すれば、以下の通りである。
【００６１】
本実施の形態のアクティブマトリクス型の表示装置としての液晶表示装置１は、図２に示すように、表示部としての表示パネル２と、走査信号を出力する走査信号線駆動部３及び映像信号であるデータ信号を印加するデータ信号線駆動手段としてのデータ信号線駆動部４とから構成されている。上記表示パネル２は、例えば、上下一対の相互に平行なガラス基板と、両ガラス基板の外方表面にそれぞれ形成される偏光板と、上記各ガラス基板の内方表面に形成される透明電極と、上記透明電極上に形成される配向膜と、両ガラス基板の外周部を気密に封止するシール樹脂と、上記ガラス基板及びシール樹脂によって形成された空間内に封入される液晶とを備えている。
【００６２】
上記透明電極は、例えば、上側基板上では共通に形成されており、これに対して下側基板上では、各画素に対応してマトリクス状に配列されて形成されている。
【００６３】
上記下側基板上には、一方向に平行する多数のデータ信号線５と、このデータ信号線５に直交する多数の走査信号線６とが平行して設けられている。データ信号線５と走査信号線６とは、電気的に絶縁した状態で交差している。データ信号線５及び走査信号線６に囲まれた各領域には、画素電極７がそれぞれ設けられている。この画素電極７には、スイッチング部としてのＴＦＴ（Thin Film Transistor：薄膜トランジスタ）８が接続されている。
【００６４】
上記データ信号線５は、信号線端子５ａを介して、データ信号線駆動部４と接続されており、このデータ信号線５にはデータ信号が印加される。一方、上記走査信号線６は、走査線端子６ａを介して、走査信号線駆動部３と接続されており、この走査信号線６には走査信号が印加される。
【００６５】
上記ＴＦＴ８は、図３に示すように、ガラス基板２１上に、ゲート電極９、ゲート絶縁膜２２、半導体層２３、チャネル保護層２４及びソース電極１０、ドレイン電極１１となるｎ+−Ｓｉ層がこの順に積層される構造を有している。ＴＦＴ８のゲート電極９は、図２に示すように、走査信号線６に接続され、ソース電極１０はデータ信号線５に接続されている。また、ドレイン電極１１は、図３に示すように、接続電極２５と接続されており、この接続電極２５を介して上記画素電極７と接続されている。
【００６６】
上記画素電極７は、隣り合うデータ信号線５と隣り合う走査信号線６とで囲まれた領域に配置されている。この画素電極７は、ＴＦＴ８、走査信号線６及びデータ信号線５が形成されている面との間に層間絶縁膜２６を介在させることにより、その周端部がデータ信号線５及び走査信号線６とオーバーラップしている。そして、この画素電極７と接続電極２５とは、層間絶縁膜２６に形成されたコンタクトホール２７を介して接続されている。
【００６７】
さらに、上記ガラス基板２１の上には、補助容量配線１３が、走査配線１と平行に、かつ隣り合う走査信号線６の間に配置されている。この補助容量配線１３は、全画素電極７に共通して設けられている。また、補助容量配線１３とコンタクトホール２７との間には、補助容量１２が形成されている。
【００６８】
上記補助容量配線１３は、図２に示すように、すべて短絡されており、補助容量配線端子１３ａを介して、上記下側基板に接続されている。
【００６９】
上記構成のアクティブマトリクス型の液晶表示装置１では、走査信号線６からの走査信号によりそれぞれの走査信号線６上にあるＴＦＴ８のＯＮ・ＯＦＦが制御される。そして、ＴＦＴ８がＯＮ状態のとき、データ信号線５にて入力されるデータ信号が画素電極７及び補助容量１２に入力し、画素電極７と、上側基板である対向基板側の対向電極とそれらの間に狭持される液晶とからなる液晶容量にデータ信号が書き込まれると共に、補助容量１２にもデータ信号が書き込まれる。一方、ＴＦＴ８がＯＦＦ状態のとき、データ信号線５からのデータ信号の画素電極７及び補助容量１２への入力が阻止され、液晶容量と補助容量１２に書き込まれたデータ信号が保持される。
【００７０】
ところで、本実施の形態の液晶表示装置１では、図１（ａ）に示すように、この液晶表示装置１を駆動するための駆動装置５０を有している。
【００７１】
上記駆動装置５０は、同図（ａ）に示すように、前記走査信号線駆動部３及びデータ信号線駆動部４の他、コントローラ５１、画像メモリ５２、データ生成部選択手段としてのデータ生成部切換用メモリ５３、及びデータ生成部格納手段としてのデータ生成部格納部５４を備えている。
【００７２】
上記データ生成部切換用メモリ５３は、本実施の形態では、液晶表示装置１が電源オンした状態からの表示パネル２における液晶表示領域の面内温度の温度推移のバラツキ情報を記憶している。
【００７３】
また、データ生成部格納部５４は、例えば、４個等の複数のデータ生成部Ａ〜Ｄを備えている。このデータ生成部Ａ〜Ｄは、入力される映像信号（以下「画像信号」という）と画像メモリ５２から得られる画像信号の１フレーム前の画像信号とを利用し、表示すべきデータ信号を演算により生成する部分であり、その演算式が４種類からなっていることを示している。また、データ生成部Ａ〜Ｄにより生成されるデータ信号は、基本的には画像信号の変化分をやや強調するような値に設定されている。そして、データ信号はデータ信号線駆動部４に出力されるようになっている。すなわち、本実施の形態の駆動装置５０は、基本的にオーバーシュート駆動（以下、オーバーシュート駆動」という」を採用している。したがって、本実施の形態では、その大きさの程度つまり出力レベルをデータ生成部Ａ〜Ｄにて決定するものとなっている。
【００７４】
このように、本実施の形態では、データ生成部切換用メモリ５３に電源オンした状態からの表示パネル２における液晶表示領域の面内温度の温度推移のバラツキ情報を記憶させ、その記憶された液晶表示領域における面内の温度推移情報に基づいてデータ生成部格納部５４中のオーバーシュート駆動のデータ生成部Ａ〜Ｄを走査信号線毎に選択するようになっている。
【００７５】
通常、液晶の応答速度は低温時に遅いことが知られている。このため、電源投入時が一番条件の悪いところであり、このときに、最も大きくオーバーシュート駆動するためには、データ生成部Ａ〜Ｄのうち、最もオーバーシュート値が大きく得られるデータ生成部Ａ〜Ｄを選択するようにデータ生成部切換用メモリ５３の初期値を設定しておく必要がある。
【００７６】
この場合、上記液晶表示領域における面内の温度推移情報をデータ生成部Ａ〜Ｄとして出力するために、液晶表示装置１にタイマ機能を備えておくことができる。すなわち、液晶表示装置１のＯＮ時間が長くなると、それに伴って液晶表示領域における面内の温度も上昇する。したがって、電源起動時にタイマ５５を動作させ、予め設定した時間（液晶温度）に達したときに、タイマの出力データを、走査信号線６を示すアドレスの上位ビットとすることによって、予め記憶させておいた走査信号線６を示すメモリのアドレスに対するオーバーシュート駆動のデータ生成部Ａ〜Ｄの切り換えを走査信号毎に行うことが可能となる。液晶の温度がある程度一定の温度に上がればオーバーシュート駆動のデータ生成部Ａ〜Ｄはその値の小さいものが選択され、或いは不要になる。
【００７７】
具体的には、データ生成部切換用メモリ５３の出力はデータ生成部Ａ〜Ｄの種類を選定するために利用し、その切り換えを走査信号毎に行うために走査信号線６の番号をデータ生成部切換用メモリ５３のアドレスとし、電源オンからの液晶の温度上昇をタイマにて管理し、かつタイマの出力データもデータ生成部切換用メモリ５３のアドレスの一部として利用する。
【００７８】
例えば、図１（ｂ）に示すように、データ生成部切換用メモリ５３は、アドレス番号が「００００１」から「ｎ」まで存在する。そして、このアドレス番号に対応して、走査信号線６の番号が「１」から「Ｎ」まで設けられている。さらに、各アドレスには、データ生成部選択肢を示す番号が設定されるようになっている。このデータ生成部選択肢は、経過時間に伴って、変更される。
【００７９】
今、データ生成部Ａ〜Ｄは、データ生成部Ｄが最も大きい値になっているとする。このとき、走査信号線６の番号が「Ｋ」までは、例えば２０分毎に、データ生成部切換用メモリ５３におけるアドレスが「４」を示す「１００」から「３」を示す「０１１」、「２」を示す「０１０」、「１」を示す「００１」と切り換っていく。これにより、データ生成部切換用メモリ５３におけるそのアドレスに応じたデータ生成部Ａ〜Ｄが選択される。例えば、アドレスが「ｋ」のときは、データ生成部選択肢が「０１１」であるからデータ生成部Ｃが選択される。そして、さらに、２０分経過するごとにデータ生成部選択肢が「０１０」、「００１」に移行する。また、本実施の形態では、例えば、データ生成部選択肢が「００１」の次は、「０００」に繰り上がる。このときには、データ生成部Ａ〜Ｄを設定することなく、表示すべき階調データの信号がそのままデータ信号線駆動部４に出力されるようになっている。
【００８０】
なお、走査信号線番号「Ｎ」は表示パネル２における液晶表示領域の最下部を示しており、この液晶表示領域の最下部からその近傍では、例えば３０分経過する毎に、データ生成部選択肢を繰り上げていくようになっている。これは、実施の形態３で説明するように、液晶表示領域の下部は温度上昇が遅いので、データ生成部選択肢の繰り上げ速度を遅くしているものである。これにより、走査信号線６によって、異なるデータ生成部Ａ〜Ｄを使用していることになる。
【００８１】
また、全走査信号線６についてアドレス化する必要は必ずしもなく、必要に応じて間引きしてもよい。つまり、複数の走査信号線６毎に切り換えるようにアドレス指定してもよい。
【００８２】
このようにすれば、液晶表示装置１における液晶表示領域の温度バラツキに影響を受けず、また予め予測している温度に達した頃、つまり電源オンから所定の時間経過後、データ生成部Ａ〜Ｄを切り換えるようにすることが可能である。このとき、データ生成部切換用メモリ５３へ記憶すべき情報は、液晶表示装置１の検査段階で実測により求めておき、それに応じた値を予めデータ生成部切換用メモリ５３に記憶しておけば上記動作メカニズムである程度の所望した結果を得ることができる。
【００８３】
このように、本実施の形態の液晶表示装置１及びその駆動装置５０、並びに液晶表示装置１の駆動方法では、複数のデータ生成部Ａ〜Ｄを用意し、走査信号線６単位で、複数のデータ生成部Ａ〜Ｄから１つのデータ生成部を切り換え選択したデータ信号を画素に印加する。したがって、本実施の形態では、駆動のためのデータ生成部Ａ〜Ｄを走査信号線６毎に切り替えることができる。
【００８４】
例えば、ある表示画面領域のうち、上下部分のみを黒で表示する場合を考えると、従来では、そのような映像信号をデータ信号として生成して入力する。しかし、本実施の形態では、そのような表示を行なうためには、１つのデータ生成部の出力を固定（黒レベル）にすることによって達成することができる。
【００８５】
また、本実施の形態の液晶表示装置１及びその駆動装置５０、並びに液晶表示装置１の駆動方法では、映像信号と該映像信号の少なくとも１フレーム前の映像信号とを基にデータ信号を生成するためのデータ生成部を複数用意する。ここで、各データ生成部Ａ〜Ｄは映像信号と該映像信号の少なくとも１フレーム前の映像信号とのそれぞれ異なる出力レベルに基いてデータ信号を生成する。これらデータ生成部Ａ〜Ｄが、複数、データ生成部格納部５４に用意される。そして、データ生成部切換用メモリ５３によって、走査信号線６単位で、データ生成部格納部５４に格納された複数のデータ生成部Ａ〜Ｄから１つのデータ生成部を選択する。
【００８６】
したがって、従来の液晶表示装置で行っていたオーバーシュート駆動よりも走査信号線６単位でのオーバーシュート駆動の最適化が図れるので、より液晶の特性に応じた応答速度補正が可能となる。
【００８７】
その結果、液晶表示装置１の液晶表示領域内における温度バラツキに対しても最適なオーバーシュート駆動を行うことができる液晶表示装置１、及び液晶表示装置１の駆動方法を提供することができる。
【００８８】
また、本実施の形態の液晶表示装置１及びその駆動装置５０では、走査信号線６間において、互いに異なるデータ生成部Ａ〜Ｄにて生成されたデータ信号が出力されるので、走査信号線６間でデータ生成部Ａ〜Ｄを切り換え可能となっている。
【００８９】
また、本実施の形態の液晶表示装置１では、データ生成部Ａ〜Ｄには、入力データを加工せずに出力されるものが含まれているとすることが可能であるので、オーバーシュート駆動しないデータ信号を出力することが可能となる。
【００９０】
また、本実施の形態の液晶表示装置１では、データ生成部Ａ〜Ｄは、複数の走査信号線６毎に切り換え可能となっている。したがって、例えば、表示パネル２の液晶表示領域の高さ方向に応じてデータ生成部Ａ〜Ｄを切り換えることができる。
【００９１】
また、本実施の形態の液晶表示装置１では、データ生成部Ａ〜Ｄは、表示パネル２の表示動作中に変更可能となっているので、例えば、液晶表示領域の温度上昇に伴ってデータ生成部Ａ〜Ｄを変更することができる。したがって、温度変化によって変化する液晶の応答特性に対応した動作を補償することができる。
【００９２】
また、本実施の形態の液晶表示装置１では、データ生成部Ａ〜Ｄは、映像信号との出力レベル比較において装置本体の電源起動時から徐々に小さくなるように選択される。したがって、特に、低温時の温度変化によって変化し易い液晶の応答特性に対応した動作を補償することができる。
【００９３】
ところで、表示パネル２の温度は、装置本体の電源起動からの時間に応じて上昇するので、オーバーシュート駆動のデータ生成部Ａ〜Ｄも温度上昇に伴い、つまり時間の経過に伴って、小さい値に切り換えるのが好ましい。
【００９４】
そこで、本実施の形態によれば、データ生成部Ａ〜Ｄは、装置本体の電源起動からの時間に応じて小さくなるように切り換えられる。
【００９５】
この結果、特に、液晶の温度検出を必要としないので、構成を簡略化することできる。
【００９６】
また、本実施の形態の液晶表示装置１では、データ生成部切換用メモリ５３は、走査信号線６を示す個別番号と、その走査信号線６を示す個別番号に対応する装置本体の電源起動からの時間に応じたデータ生成部の選択肢とを組み合わせたアドレスからなる記憶手段としてのメモリからなっている。
【００９７】
したがって、データ生成部選択手段をメモリにて好適に構成することができる。
〔実施の形態２〕
本発明の他の実施の形態について図４に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００９８】
本実施の形態の液晶表示装置１における駆動装置６０は、図４（ａ）に示すように、前記実施の形態１の構成に加えて、表示パネル２における液晶表示領域に温度センサ６１を備えており、この温度センサ６１にて検出した温度推移情報をデータ生成部選択手段としてのデータ生成部切換用メモリ６３に記憶し、かつ液晶表示装置１の周囲温度情報を得るようになっている。そして、その温度情報により、データ生成部格納手段としてのデータ生成部Ａ〜Ｄを切り換えるようになっている。
【００９９】
すなわち、本実施の形態では、液晶表示装置１が電源オンの状態からの該液晶表示領域における面内温度の温度推移のバラツキ情報をデータ生成部切換用メモリ６３に記憶させ、記憶された液晶表示領域における面内の温度推移情報に基づいてオーバーシュート駆動のデータ生成部Ａ〜Ｄを可変する。また、本実施の形態では、データ生成部切換用メモリ６３は、ルックアップテーブル（ＬＵＴ：Look Up Table）にてなっている。
【０１００】
このルックアップテーブルでは、例えば、図４（ｂ）に示すように、温度センサ６１による測定温度が３２℃未満のときは、データ生成部切換用メモリ６３におけるアドレス「４」が設定され、その結果、値の最も大きいデータ生成部Ｄが選択されるようになっている。そして、温度センサ６１による測定温度が３２℃以上３４℃未満のときは、データ生成部切換用メモリ６３におけるアドレス「３」が設定され、データ生成部Ｃが選択される。以下、同様にして、温度が所定温度に達する毎にデータ生成部切換用メモリ６３における選択肢の項のアドレスが変わり、データ生成部Ａ、Ｂが変わるようになっている。
【０１０１】
なお、本実施の形態においても、走査信号線６が「Ｎ］つまり表示パネル２の下側では
、上側の温度変化に対するデータ生成部Ａ〜Ｄの変化を変えている。したがって、本実施の形態でも、走査信号線６によって、データ生成部Ａ〜Ｄが異なる値となっている。
【０１０２】
ここで、上記温度センサ６１の設置場所は、液晶の温度と関連する箇所であればよい。したがって、温度センサ６１は、例えば熱伝対のようなものであってもよい。少なくとも温度センサ６１の示す値が、液晶表示装置１の電源オンの状態から徐々に温度変化するようなものであればよい。この温度センサ６１からの情報を、上記データ生成部切換用メモリ６３にアドレスとして入力し、それに対応する最適オーバーシュート駆動のデータ生成部Ａ〜Ｄの種類を選定するようにすれば、その他の部分は、前記実施の形態１と同様であり、その結果、同様な効果を得ることができる。
【０１０３】
このように、本実施の形態の液晶表示装置１及びその駆動装置６０、並びに液晶表示装置１の駆動方法では、データ生成部Ａ〜Ｄは、表示パネル２の温度により切り換えられる。したがって、実際の液晶の温度検出により応答速度を補償するので、正確な応答速度補償を実現することができる。
【０１０４】
また、本実施の形態では、データ生成部Ａ〜Ｄは、温度センサ６１によって得られた温度情報に基づいて切り換えられる。したがって、温度センサ６１からの温度データに基づき、直接、液晶の応答速度補償を行うことができるので、より正確な応答速度補償を実現することができる。
【０１０５】
また、本実施の形態の液晶表示装置１では、データ生成部切換用メモリ６３は、周囲温度に対応するデータ生成部Ａ〜Ｄをルックアップテーブルにして格納しているので、ルックアップテーブルにて種々の機種に対し、同一の装置設計にて対応可能であるので、コスト的に有利である。
〔実施の形態３〕
本発明の他の実施の形態について図５ないし図１１に基づいて説明すれば、以下の通りである。なお、本実施の形態において説明すること以外の構成は、前記実施の形態１及び実施の形態２と同じである。また、説明の便宜上、前記の実施の形態１の図面に示した部材と同一の機能を有する部材については、同一の符号を付し、その説明を省略する。
【０１０６】
本実施の形態では、実施の形態２の温度検出をさらに精度良く行うものとなっている。
【０１０７】
すなわち、本実施の形態における液晶表示装置１の駆動装置７０では、図５に示すように、温度センサ３０を表示パネル２の画素に実装し、液晶の正確な温度情報を得ることにより、正確なオーバーシュート駆動のデータ生成部Ａ〜Ｄを可変するようになっている。
【０１０８】
ここで、温度センサ３０を画素へ実装する方法について詳細に説明する。
【０１０９】
本実施の形態では、図６に示すように、各データ信号線５の横には、この各データ信号線５に平行に予備データ配線としての各予備配線１５が配設されている。この予備配線１５は、各画素においてデータ信号線５と連絡線１６によって接続されている。したがって、データ信号線５、予備配線１５及び連絡線１６の形状は、いわゆるはしご形状となっている。つまり、Ｈの字を繋ぎ合わせた形状となっている。
【０１１０】
この予備配線１５は、データ信号線５の一部に断線等の欠陥が生じることによりその表示パネル２に線欠陥等の表示劣化が発生するのを防止するために設けられているものである。すなわち、上記はしご形状の予備配線１５を用いた場合には、データ信号線５によるデータ信号は、連絡線１６を通して予備配線１５に絶えず供給されているので、データ信号線５のいずれの箇所で断線していても、データ信号線駆動部４から出力されたデータ信号は、データ信号線５又は予備配線１５のいずれかを通って末端まで供給される。
【０１１１】
そして、本実施の形態の液晶表示装置１では、この予備配線１５を利用して、画素内に温度センサ３０を設けている。
【０１１２】
すなわち、温度センサ３０を画素内に形成するためには、少なくともこの温度センサ３０に通じるリード線が必要となるが、本実施の形態では、このリード線として予備配線１５を利用している。
【０１１３】
ここで、予備配線１５を温度センサ３０のリード線として使用するためには、温度センサ３０を取り付けた予備配線１５がデータ信号線５に電気的に繋がっていてはいけない。そこで、本実施の形態では、温度センサ３０よりもデータ信号線駆動部４側の全ての連絡線１６には予め連絡線隙間１６ａを形成していると共に、該温度センサ３０を形成した画素内において、温度センサ３０を接続した予備配線１５のデータ信号線駆動部４とは反対側の末端側に予備配線隙間１５ａを形成している。これにより、温度センサ３０のリード線としての機能を予備配線１５のデータ信号線駆動部４側に求めることができる。このとき、予備配線１５の予備配線隙間１５ａよりもデータ信号線駆動部４とは反対側つまり末端側では、連絡線１６に連絡線隙間１６ａがないので、本来の予備配線１５としての機能を保持していることになる。
【０１１４】
なお、本実施の形態では、温度センサ３０のリード線の機能をデータ信号線駆動部４側に求めて、データ信号線駆動部４側に温度センサ３０の信号を送っているが、必ずしもこれに限らず、温度センサ３０のリード線の機能をデータ信号線駆動部４とは反対側にすることも可能である。この場合には、上記連絡線隙間１６ａは、温度センサ３０よりも末端側における連絡線１６の全てに設けられると共に、温度センサ３０を形成した予備配線１５のデータ信号線駆動部４側に予備配線隙間１５ａが形成される。
【０１１５】
また、上記の温度センサ３０の画素内での位置は、例えば、ＴＦＴ８の近傍等に設けることが好ましい。このＴＦＴ８には、このＴＦＴ８が外部から見えないようにするために、図示しない遮蔽部材としてのブラックマトリクスが設けられているので、そのブラックマトリクスの下側に位置することが好ましいためである。したがって、データ信号線５又は走査信号線６の近傍に設けるの好ましい。データ信号線５及び走査信号線６の上部には、ブラックマトリクスが設けられているためである。
【０１１６】
ところで、予備配線１５は、本来、データ信号線５に断線が生じている場合に、この予備配線１５を使用してデータ信号を供給するものである。
【０１１７】
したがって、本実施の形態では、データ信号線５に断線が発生した場合には、予備配線１５の温度センサ３０のリード線としての使用を断念することとしている。したがって、データ信号線５に断線が発生した場合には、予備配線１５をデータ信号線駆動部４近傍でレーザ装置を用いて切断することにより後述する温度検出制御部４０との経路を断つ一方、レーザ装置を用いて連絡線１６のいずれか一つを短絡する。これにより、容易に本来の予備配線１５として使用することができる。
【０１１８】
次に、上記温度センサ３０の構造について詳細に説明する。
【０１１９】
本実施の形態では、温度センサ３０を液晶素子内に直接形成している。この温度センサ３０は、例えば、図７に示すように、二酸化ケイ素（ＳｉＯ2）の酸化膜３１とＣｒＮｉ膜３２との積層体の上に、隙間を開けてアルミニウム（Ａｌ）電極３３ａ・３３ｂを形成したものからなっている。この温度センサ３０は、サーミスタ型のセンサであり、半導体のキャリア濃度が温度によって、指数関数的に変化する現象を利用するものである。したがって、隙間の抵抗を検出することによって温度測定できる。なお、本実施の形態では、ＣｒＮｉ膜３２を使用しているが、必ずしもこれに限らず、マンガン（Ｍｎ）、ニッケル（Ｎｉ）、コバルト（Ｃｏ）等の遷移金属の酸化物半導体等を利用することが可能である。
【０１２０】
次に、本実施の形態の液晶表示装置１において、温度センサ３０を画素内に形成する理由について説明する。
【０１２１】
まず、本実施の形態の液晶表示装置１は、例えばコンピュータ用の表示装置として使用される高精細なものである。この高精細な液晶表示装置１にＴＶの映像や動画映像を映す場合に、応答速度の遅さが問題となる。すなわち、液晶は容量性負荷であるため、データ信号電圧を画素電極に印加すると、印加されたデータ信号電圧に応じて変化した配向状態を保持する性質（ホールド特性）がある。このため、ＣＲＴ等と比べてちらつきのない表示画面が得られる反面、液晶自身の応答速度が遅く、特に中間調の応答が映像入力信号の１フレーム期間で十分に応答しないために、動画表示の場合に残像が見られるといった表示品位低下の問題がある。
【０１２２】
そこで、この問題を解決するために、オーバーシュート駆動等により液晶モジュールに入力データの変化分以上の変化を加えることによって、応答速度を改善させることが可能である。
【０１２３】
ところで、液晶表示装置１では、表示パネル２内の温度は、周囲環境温度の影響を受けると共に、当該表示パネル２の表示動作途中にてもばらつく。したがって、この表示パネル２内の温度に応じた上記入力データの変化分以上の変化を加えなければ、適切に応答速度を改善させることができず、その結果、動画表示時の表示品位不良が発生することになる。
【０１２４】
具体的には、オーバーシュート駆動においては、図８（ａ）に示すように、２５℃の時に階調値３０を表示するために、例えば、階調値５０に相当するデータ信号電圧を印加する。この結果、階調値３０を表示するためのデータ信号電圧を印加するよりも短時間で、階調値３０に到達することができるようになる。
【０１２５】
今、例えば、図８（ｂ）に示すように、０℃の時に階調値３０を表示するために、階調値８０に相当するデータ信号電圧を印加することにより、１０ｍ秒にて階調値３０に到達することができるとした場合に、誤って液晶素子の温度が１０℃であると認識した時には、図８（ｃ）に示すように、階調値３０に到達するために１５ｍ秒かかることになる。この結果、動画の変化に対応できない応答速度になってしまう。
【０１２６】
したがって、応答速度の改善のためには、正確な温度管理によるより正確なデータ信号電圧の補正を行う必要がある。特に、冬季において電源をＯＮしたときには、低温であるため応答速度は遅い。
【０１２７】
ここで、実際の表示パネル２では、図９（ａ）〜（ｄ）に示すように、表示画面の温度が変化することが確認できている。表示パネル２が温度上昇するのは、表示パネル２の裏側に図示しないバックライトが設けられており、そのバックライトの放射熱によるためである。具体的には、周囲温度２４℃のときに、表示パネル２の温度分布は、電源ＯＮから３０分後では、図９（ａ）に示すように、全体的に低い３２℃である。その後、電源ＯＮから６０分後には、図９（ｂ）に示すように、上側約４／５までが３６．８℃であり下側約１／５までが３０．０℃である。なお、表示パネル２の上側が下側よりも温度が高いのは、熱は上側に移動するためである。そして、図９（ｃ）に示すように、電源ＯＮから９０分後になって略飽和状態となり、上側約４／５までが３８．３℃となり下側約１／５が３０．０℃である。また、図９（ｄ）に示すように、図９（ｃ）の状態から電源ＯＦＦすると、３０分にて略元の図９（ａ）の状態に戻る。
【０１２８】
したがって、飽和状態の温度分布になるまでに９０分を要している。なお、上記の例では、初期周囲温度２４℃から始めているが、より低い初期周囲温度から始めるとさらに長時間にて飽和温度に達すること、及び飽和温度として３８℃よりも低い値になること等が考えられる。
【０１２９】
また、表示パネル２の温度分布は上側約４／５までの温度変化が大きい。この結果、電源ＯＮから３０分後程度までの温度分布と、電源ＯＮから９０分後の飽和状態の温度分布とでは温度差に明確な違いがあることから、このような表示パネル２の温度変化を踏まえたデータ信号線５への電圧印加が必要であることがわかる。特に、低い温度における温度管理が重要である。
【０１３０】
温度センサ３０を実装する場所については、上記の表示パネル２の温度分布測定結果に基いて、例えば、図５に示すように、表示パネル２の高さ方向に複数設けると共に、液晶表示領域の下側の方の間隔が密になるようにしている。このように、上述した表示パネル２の温度分布測定結果に基いて、複数の走査信号線６の温度データを抽出できることがより重要であり、特に、液晶表示領域の下側についての温度データが抽出できるように、サンプルポイントを多くとること好ましい。
【０１３１】
上記の各温度センサ３０を上記ポイントに配置しておくことにより、図１０に示すように、各温度センサ３０からの検知信号が予備配線１５を通して温度検出制御手段としての温度検出制御部４０に送られ、温度検出制御部４０の内部に設けられた温度検出部４１によって温度検出が行われる。なお、温度検出制御部４０は、例えば、データ信号線駆動部４内の端部等に設けることができる。
【０１３２】
上記温度検出部４１は、具体的には、電源電圧を各温度センサ３０に印加することにより、各温度センサ３０の抵抗値に基く電流値を算出し、この電流値に対応する予め求められた温度により、画素の温度を検出する。
【０１３３】
また、温度センサ３０により抽出した温度データは、本実施の形態でも、基本的には実施の形態１及び実施の形態２と同様に処理され、データ生成部Ａ〜Ｄが選択される。ただし、温度サンプルデータが多ければ、走査信号線６及びその付近の液晶の温度は、略抽出された温度センサ３０が示す温度であると判断できる。このため、この抽出温度データを直接利用して各走査信号が必要とするオーバーシュート駆動のデータ生成部Ａ〜Ｄを可変するように制御すれば、実施の形態１で示すような走査信号線６そのものをアドレスとするような大容量のメモリは不要となり、図５に示すデータ生成部選択手段としてのセレクタ７３のように、図１１に示すように、抽出した温度データをそのままオーバーシュート駆動のデータ生成部Ａ〜Ｄ用のルックアップテーブル（ＬＵＴ：Look Up Table）のアドレスとして活用することができる。したがって、メモリ容量の削減に寄与する。
【０１３４】
また、このよう駆動方法では、走査信号線６毎にデータ生成部Ａ〜Ｄを変えることが可能になる。
【０１３５】
このように、本実施の形態の液晶表示装置１及びその駆動装置７０、並びに液晶表示装置の駆動方法では、データ生成部Ａ〜Ｄは、表示パネル２の温度により切り換えられる。したがって、実際の液晶の温度検出により応答速度を補償するので、正確な応答速度補償を実現することができる。
【０１３６】
また、本実施の形態では、データ生成部Ａ〜Ｄは、温度センサ３０によって得られた温度情報に基づいて切り換えられる。したがって、温度センサ３０からの温度データに基づき、直接、液晶の応答速度補償を行うことができるので、より正確な応答速度補償を実現することができる。
【０１３７】
また、本実施の形態の液晶表示装置１及びその駆動装置７０、並びに液晶表示装置の駆動方法では、温度センサ３０は、表示パネル２のＴＦＴ（Thin Film Transistor：薄膜トランジスタ）基板上に設けられている。
【０１３８】
すなわち、温度センサ３０を後付けすると、温度センサ３０が必ずしも正確な温度を測定できない場合があるが、上記の構成により、温度センサ３０はＴＦＴ基板上に作りこんであるため、温度測定を正確に行うことができる。
【０１３９】
また、本実施の形態の液晶表示装置１では、温度センサ３０は、表示パネル２における液晶表示領域の列方向に沿って複数個配設されている。すなわち、液晶の表示画面における温度分布は液晶表示装置１を立てて設置する場合において、垂直方向に温度分布が推移する。したがって、そのような使用状況に応じた温度センサ３０の実装を行うことによって、効率的な温度データの抽出が可能となる。
【０１４０】
また、本実施の形態の液晶表示装置１では、温度センサ３０における温度検出信号の伝送は、表示パネル２に配設されている予備配線１５を用いて行われている。したがって、温度センサ３０の信号出力用に対して、液晶表示装置１に一般的に設けられている予備配線１５を使用することによって、新たな配線を必要としないため、表示パネル２の大きな設計変更を行うことなく実現できるので、コストメリットがある。
【０１４１】
また、本実施の形態の液晶表示装置１では、セレクタ７３は、表示パネル２の複数の温度に対応するデータ生成部Ａ〜Ｄをルックアップテーブルにして格納している。
【０１４２】
したがって、複数の走査信号線６に対する表示パネル２の複数の温度に対して効率よくデータ生成部Ａ〜Ｄの切り換えが可能となる。
【０１４３】
また、本実施の形態の液晶表示装置１の駆動装置７０により、従来の液晶表示装置で行っていたオーバーシュート駆動よりも走査信号線単位でのオーバーシュート駆動のデータ生成部の最適化が図れるので、より液晶の特性に応じた応答速度補正が可能となる。
【０１４４】
したがって、液晶表示装置１の表示領域内における温度バラツキに対しても最適なオーバーシュート駆動を行うことができる液晶表示装置１の駆動装置７０を提供することができる。
【０１４５】
また、本実施の形態の液晶表示装置１の駆動装置７０及び駆動方法では、映像信号とデータ生成部Ａ〜Ｄにより生成されるデータ信号との出力レベルの差は、液晶表示装置１が設置された状態における垂直方向の表示パネル２の上側領域及び中央領域に比べて下側領域が最大となる。
【０１４６】
したがって、表示パネル２の垂直方向の下側領域は、表示パネル２の上側領域及び中央領域に比べて温度上昇が遅く、温度が低いので、映像信号とデータ生成部Ａ〜Ｄにより生成されるデータ信号との出力レベルの差を下側領域が最大となるようにしておくことによって、下側領域においても、適切に表示することができる。
【０１４７】
なお、本発明は、上記の実施の形態に限定されるものではなく、本発明の範囲内で種々の変更が可能である。例えば、上記実施の形態では、温度センサ３０はＣｒＮｉ膜３２を使用したサーミスタ構造となっており、画素内に温度センサ３０を作り込んでいる。しかし、特にこれに限定するものではなく、例えば、既存のダイオードを画素内に埋め込み、そのダイオードの温度特性による出力電圧の変化を利用して、温度変化を感知することが可能である。
【０１４８】
また、本実施の形態では、温度センサ３０のリード線として予備配線１５を使用しているが、必ずしもこれに限らず、単独のリード線を設けることが可能である。また、予備配線１５ははしご形状となっているが、必ずしもこれに限らず、はしご形状でない予備配線を使用することも可能である。
【０１４９】
さらに、本実施の形態においては、透明電極がそれぞれ上下基板に具備される構成を示しているが、本発明の適用範囲はこの限りではなく、例えば、ＩＰＳ（In-Plane Switching）等の片側基板にのみ電極を有するタイプの液晶に対しても有効である。
【産業上の利用可能性】
【０１５０】
本発明の液晶表示装置及びその駆動装置、並びに液晶表示装置の駆動方法は、高精彩モニタノートの動画対応用の液晶モニタに使用される液晶表示装置や、今後出てくるＨＤＴＶ（High Definition Television）等のものがターゲットとなる。
【図面の簡単な説明】
【０１５１】
【図１】本発明の実施形態を示すものであり、（ａ）は液晶表示装置に設けられた駆動装置の構成を示すブロック図、（ｂ）はメモリの構成を示す図である。
【図２】上記液晶表示装置の表示パネルの構成を示すブロック図である。
【図３】下記図６のＡ−Ａ’線断面図である。
【図４】本発明の他の実施形態を示すものであり、（ａ）は液晶表示装置に設けられた駆動装置の構成を示すブロック図、（ｂ）はメモリの構成を示す図である。
【図５】本発明のさらに他の実施形態を示すものであり、液晶表示装置に設けられた駆動装置の構成を示すブロック図である。
【図６】上記液晶表示装置に設けられた温度センサを示す構造図である。
【図７】上記液晶表示装置の温度センサの構成を示す断面図である。
【図８】（ａ）はオーバーシュート駆動を示すものであり、２５℃において階調３０を得るために階調５０の印加電圧をかけるときの到達時間を示すグラフであり、（ｂ）はオーバーシュート駆動において、０℃において階調３０を得るために階調８０の印加電圧をかけるときの到達時間を示すグラフであり、（ｃ）は（ｂ）において誤って０℃であると誤認したときの、印加電圧と到達時間との関係を示すグラフである。
【図９】（ａ）〜（ｄ）は、表示パネルの温度分布を経時的に示す正面図である。
【図１０】上記液晶表示装置の温度検出制御部の構成を示すブロック図である。
【図１１】上記液晶表示装置に設けられた駆動装置におけるメモリの構成を示す図である。
【符号の説明】
【０１５２】
１      液晶表示装置
２      表示パネル（表示部）
３      走査信号線駆動部
４      データ信号線駆動部
５      データ信号線
６      走査信号線
７      画素電極
８      ＴＦＴ（スイッチ部）
１５      予備配線（予備データ配線）
１５ａ    予備配線隙間
１６ａ    連絡線隙間
１６      連絡線
３０      温度センサ
４０      温度検出制御部
４１      温度検出部
５０      駆動装置
５１      コントローラ
５３      データ生成部切換用メモリ（データ生成部選択手段）
５４      データ生成部格納部（データ生成部格納手段）
５５      タイマ
６０      駆動装置
６１      温度センサ
６３      データ生成部切換用メモリ（データ生成部選択手段）
７０      駆動装置
７３      セレクタ（データ生成部選択手段）
Ａ〜Ｄ    データ生成部
【図１】
2005215059.tif 000003
【図２】
2005215059.tif 000004
【図３】
2005215059.tif 000005
【図４】
2005215059.tif 000006
【図５】
2005215059.tif 000007
【図６】
2005215059.tif 000008
【図７】
2005215059.tif 000009
【図８】
2005215059.tif 000010
【図９】
2005215059.tif 000011
【図１０】
2005215059.tif 000012
【図１１】
2005215059.tif 000013